(57)【要約】【課題】本発明は、人員捜索方法と装置及び画像処理装置を提供する。【解決手段】かかる方法は、参照画像に対して人物検出を行い、捜索待ち人員を確定し、前記捜索待ち人員の属性情報を取得し；少なくとも１つの監視カメラ画像に対して人物検出を行い、すべての候補者を確定し、すべての候補者の属性情報を取得し；前記捜索待ち人員の属性情報及び各候補者の属性情報に基づいて、各候補者のマッチングスコアを計算し、前記マッチングスコアの大から小への順序に従って所定数の候補者を選択し；及び、前記捜索待ち人員と、選択された各候補者との類似度を計算し、選択された前記候補者のうち、前記捜索待ち人員との類似度が最も高い候補者を前記捜索待ち人員とすることを含む。【選択図】図１
2020071876.tif 000002
【特許請求の範囲】
【請求項１】
人員捜索装置であって、
参照画像に対して人物検出を行い、捜索待ち人員を確定し、前記捜索待ち人員の属性情報を取得するための第一検出ユニット；
少なくとも１つの監視カメラ画像に対して人物検出を行い、すべての候補者を確定し、すべての候補者の属性情報を取得するための第二検出ユニット；
前記捜索待ち人員の属性情報及び各候補者の属性情報に基づいて、各候補者のマッチングスコアを計算し、前記マッチングスコアの大から小への順序に従って所定数の候補者を選択するための選択ユニット；及び
前記捜索待ち人員と、選択された各候補者との類似度を計算し、選択された前記候補者のうち、前記捜索待ち人員との類似度が最も高い候補者を前記捜索待ち人員とするための確定ユニットを含む、人員捜索装置。
【請求項２】
請求項1に記載の人員捜索装置であって、
前記参照画像は、予め撮った写真による画像又は監視カメラ画像である、人員捜索装置。
【請求項３】
請求項1に記載の人員捜索装置であって、
前記監視カメラ画像は、魚眼カメラ画像であり、
前記人員捜索装置は、前記監視カメラ画像に対して魚眼除去処理を行い、魚眼除去後の監視カメラ画像を得るための処理ユニットをさらに含み、
前記第二検出ユニットは、前記魚眼除去後の監視カメラ画像に対して前記人物検出を行う、人員捜索装置。
【請求項４】
請求項1に記載の人員捜索装置であって、
前記属性情報は、トップの類型、ボトムの類型、トップの色、及びボトムの色である、人員捜索装置。
【請求項５】
請求項1に記載の人員捜索装置であって、
前記選択ユニットは、前記捜索待ち人員の属性情報に基づいて、各候補者の前記属性情報の確率を抽出し、前記属性情報の確率と、該属性情報に対応する重みとの乗積を前記候補者のマッチングスコアとする、人員捜索装置。
【請求項６】
請求項5に記載の人員捜索装置であって、
前記選択ユニットは、
【数１】
2020071876.tif 000007
に基づいて、各候補者のマッチングスコアを計算し、
ここで、piは、前記候補者の第i個目の属性の確率であり、wiは、前記第i個目の属性の重みであり、iは、属性情報のうちの各属性の順番号であり、nは、属性の総数である、人員捜索装置。
【請求項７】
請求項1に記載の人員捜索装置であって、
前記確定ユニットは、前記捜索待ち人員及び選択されたすべての候補者の高次元特徴を取得し、捜索待ち人員及び選択された各候補者の高次元特徴に基づいて、捜索待ち人員と、選択された各候補者との高次元特徴の類似度を計算する、人員捜索装置。
【請求項８】
請求項7に記載の人員捜索装置であって、
前記確定ユニットは、
【数２】
2020071876.tif 000008
に基づいて、前記類似度を計算し、
ここで、iは、選択された候補者の順番号であり、Qは、捜索待ち人員の高次元特徴であり、Ciは、選択された候補者の高次元特徴であり、mは、選択された候補者の総数である、人員捜索装置。
【請求項９】
請求項1-8のうちの任意の1項に記載の人員捜索装置を含む、画像処理装置。
【請求項１０】
人員捜索方法であって、
参照画像に対して人物検出を行い、捜索待ち人員を確定し、前記捜索待ち人員の属性情報を取得し；
少なくとも１つの監視カメラ画像に対して人物検出を行い、すべての候補者を確定し、すべての候補者の属性情報を取得し；
前記捜索待ち人員の属性情報及び各候補者の属性情報に基づいて、各候補者のマッチングスコアを計算し、前記マッチングスコアの大から小への順序に従って所定数の候補者を選択し；及び
前記捜索待ち人員と、選択された各候補者との類似度を計算し、選択された前記候補者のうち、前記捜索待ち人員との類似度が最も高い候補者を前記捜索待ち人員とすることを含む、人員捜索方法。
【発明の詳細な説明】
【技術分野】
【０００１】
本発明は、画像処理技術分野に関し、特に、人員捜索方法と装置及び画像処理装置に関する。
【背景技術】
【０００２】
人員捜索（person  searching）とは、複数のビデオカメラの中から所定人員（不審者ともいう）を捜索し、位置（location）及び対応するビデオカメラの標識（ＩＤ）を特定することを指す。
【０００３】
人員捜索の応用範囲が広く、例えば、迷子の探し、犯罪者の捜索、ビデオカメラ間の人員の追跡、人員の活動の分析などが挙げられる。人員捜索技術では、多くのチャレンジがあり、例えば、人体姿勢の複雑な変化、カメラの視点、照明、遮蔽、解像度、背景の乱雑点などが挙げられる。
【０００４】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００５】
本発明の発明者が次のようなことを発見した。即ち、今のところ、人員捜索のための人物再同定方法（person  re-identification  method）が大量存在するが、これらの方法では、トリミングした人物画像を用いて、不審者及び候補者のみに対して検索を行うことに注目する。よって、これらの方法は、画像全体の中で不審者を捜索するに適しない。
【０００６】
上述のような問題を解決するために、本発明は、監視カメラ画像から捜索待ち人員を見つけることができる人員捜索方法と装置及び画像処理装置を提供することを課題とする。
【課題を解決するための手段】
【０００７】
本発明の実施例の第一側面によれば、人員捜索方法が提供され、前記方法は、
参照画像に対して人物検出を行い、捜索待ち人員を確定し、前記捜索待ち人員の属性情報を取得し；
少なくとも１つの監視カメラ画像に対して人物検出を行い、すべての候補者を確定し、すべての候補者の属性情報を取得し；
前記捜索待ち人員の属性情報及び各候補者の属性情報に基づいて、各候補者のマッチングスコアを計算し、前記マッチングスコアの大から小への順序に従って所定数の候補者を選択し；及び
前記捜索待ち人員と、選択された各候補者との類似度を計算し、選択された前記候補者のうち、前記捜索待ち人員との類似度が最も高い候補者を前記捜索待ち人員とすることを含む。
【０００８】
また、本発明の実施例の第二側面によれば、人員捜索装置が提供され、前記装置は、
第一検出ユニットであって、参照画像に対して人物検出を行い、捜索待ち人員を確定し、前記捜索待ち人員の属性情報を取得するもの；
第二検出ユニットであって、少なくとも１つの監視カメラ画像に対して人物検出を行い、すべての候補者を確定し、すべての候補者の属性情報を取得するもの；
選択ユニットであって、前記捜索待ち人員の属性情報及び各候補者の属性情報に基づいて、各候補者のマッチングスコアを計算し、前記マッチングスコアの大から小への順序に従って所定数の候補者を選択するもの；及び
確定ユニットであって、前記捜索待ち人員と、選択された各候補者との類似度を計算し、選択された前記候補者のうち、前記捜索待ち人員との類似度が最も高い候補者を前記捜索待ち人員とするものを含む。
【０００９】
また、本発明の実施例の第三側面によれば、画像処理装置が提供され、前記画像処理装置は、前述の第二側面に記載のような人員捜索装置を含む。
【００１０】
また、本発明の実施例の第四側面によれば、コンピュータ可読プログラムが提供され、人員捜索装置又は画像処理装置中で前記プログラムを実行するときに、前記プログラムは、前記人員捜索装置又は画像処理装置に、本発明の実施例の第一側面に記載のような人員捜索方法を実行させる。
【００１１】
また、本発明の実施例の第五側面によれば、コンピュータ可読プログラムを記憶した記憶媒体が提供され、前記コンピュータ可読プログラムは、人員捜索装置又は画像処理装置に、本発明実施例の第一側面に記載のような人員捜索方法を実行させる。
【００１２】
本発明の実施例の有益な効果は、人物検出及び２ステップの検索を行うことにより、監視カメラ画像の中から捜索待ち人員を見つけることができる。
【００１３】
なお、「含む／有する」のような用語は、本明細書に使用されるときに、特徴、要素、ステップ、又はアセンブルの存在を指すが、１つの又は複数の他の特徴、要素、ステップ、又はアセンブリの存在又は付加を排除しないということも指す。
【図面の簡単な説明】
【００１４】
【図１】実施例1における人員捜索方法の１つの実施方式を示す図である。
【図２】魚眼カメラ画像の一例を示す図である。
【図３】図2中の魚眼カメラ画像に対して魚眼除去処理を行った後の様子を示す図である。
【図４】捜索待ち人員（不審者）の一例を示す図である。
【図５】図4に示す不審者の属性情報に基づいて候補者のマッチングスコアを計算することにより確定された３人の候補者を示す図である。
【図６】不審者と候補者との類似度を計算することにより確定された不審者を示す図である。
【図７】実施例2における人員捜索装置の１つの実施方式を示す図である。
【図８】実施例3における画像処理装置を示す図である。
【発明を実施するための形態】
【００１５】
以下、添付した図面を参照しながら、本発明を実施するための好適な実施形態を詳しく説明する。
【実施例１】
【００１６】
本実施例は、人員捜索方法を提供する。図1は、本発明の実施例1における人員捜索方法の１つの実施方式を示す図である。図1に示すように、該方法は、以下のステップを含む。
【００１７】
ステップ101：参照画像に対して人物検出を行い、捜索待ち人員を確定し、前記捜索待ち人員の属性情報を取得し；
ステップ102：少なくとも１つの監視カメラ画像に対して人物検出を行い、すべての候補者を確定し、すべての候補者の属性情報を取得し；
ステップ103：前記捜索待ち人員の属性情報及び各候補者の属性情報に基づいて、各候補者のマッチングスコアを計算し、前記マッチングスコアの大から小への順序に従って所定数の候補者を選択し；
ステップ104：前記捜索待ち人員と、選択された各候補者との類似度を計算し、選択された前記候補者のうち、前記捜索待ち人員との類似度が最も高い候補者を前記捜索待ち人員とする。
【００１８】
本実施例では、人物検出により監視カメラ画像の中から候補者を見つけ、捜索待ち人員と候補者との属性情報に基づいて所定数の候補者を選択し（第一ステップの検索）、そして、捜索待ち人員と選択された候補者との高次元特徴に基づいて、最終的に、候補者のうちから捜索待ち人員を確定する（第二ステップの検索）。これにより、人物検出及び２ステップの検索を行うことだけで、監視カメラ画像の中から捜索待ち人員を見つけることができ、人員捜索の正確性を向上させ、計算の複雑度を低減することができる。
【００１９】
本実施例のステップ101では、上述の参照画像は、予め撮った写真によるものであっても良く、予め撮った写真による画像の中から捜索待ち人員を検出することは、失踪者、容疑者などの捜索に適する。なお、本実施例は、これに限られず、上述の参照画像は、監視カメラ画像であっても良く、監視カメラ画像の中から捜索待ち人員を検出することは、ビデオカメラ間の人員追跡や人員の活動の分析に適する。本実施例の捜索待ち人員は、不審者（query）とも称される。
【００２０】
本実施例のステップ102では、上述の監視カメラ画像は、任意の位置に設けられるビデオカメラが撮った画像であっても良く、例えば、ホテルの廊下、オフィス、道端、ショッピングモールなどの場所に設置されるビデオカメラが撮った画像であっても良い。また、該監視カメラ画像は、２次元の平面画像であっても良く、最近流行っている魚眼カメラ画像であっても良い。
【００２１】
該監視カメラ画像が２次元の平面画像であれば、ステップ102では、直接、該画像に対して人物検出を行うことで、すべての候補者（Candidate）を確定することができ、該監視カメラ画像が魚眼カメラ画像であれば、ステップ102の前に、さらに、画像の魚眼除去処理を行い、魚眼除去後の監視カメラ画像を取得しても良く、これにより、ステップ102では、魚眼除去後の監視カメラ画像に対して人物検出を行うことができる。
【００２２】
図2は、魚眼カメラ画像の一例を示す図である。図2に示すように、該魚眼カメラ画像に対して人物検出を行うことで、４人の人物が検出され、それぞれ、矩形状の枠で示されている。魚眼カメラ画像の特徴が原因で、得られた魚眼カメラ画像のうち、大多数の人物を成功裏に検出することができず、ある人物の方向が逆になる場合もあり、そのため、画像中のすべての人物を得るために、本実施例では、該魚眼カメラ画像に対して魚眼除去処理（de-fish  operation）を行う必要がある。
【００２３】
図3は、図2に示す魚眼カメラ画像に対して魚眼除去処理を行った後の様子を示す図である。図3に示すように、図2に示す魚眼カメラ画像に対して魚眼除去処理を行った後に、該魚眼除去後の画像に対して人物検出を行うことで、図3に示すような結果を得ることができる。図3から分かるように、２０人以上の人物が見つかり、それぞれ、矩形状の枠で示されており、また、すべての人物は、直立するものである。
【００２４】
本実施例では、魚眼除去処理の方法について限定せず、従来の任意の処理方法を採用しても良いので、ここでは、その詳しい説明を省略する。
【００２５】
また、本実施例では、人物の検出方法についても限定せず、例えば、FPN（Feature  Pyramid  Net）方法により人物の検出を行っても良く、又は、SSD（Single  Shot  MultiBox  Detector）、YOLO（You  Look  Only  Once）などの他の方法を採用しても良いが、ここでは、その詳細な説明を省略する。
【００２６】
本実施例のステップ101及びステップ102では、人物検出により画像中の捜索待ち人員及びすべての候補者を得た後に、該画像の中から該捜索待ち人員及びすべての候補者の属性情報を抽出することができる。
【００２７】
本実施例では、属性情報は、人物の特徴を表すことができる情報、例えば、衣服の種類、衣服のカラー、髪型、髪の色、身長、体型などである。便宜のため、本実施例では、トップ（上半身に着るもの）の類型、ボトム（下半身に着るもの）の類型、トップの色及びボトムの色を人物の４種類の属性情報とする。トップの類型及びボトムの類型に関しては、大体、次のように９種類に分けることができ、即ち、ジャケット（up_Jacket）、ロングシャツ（up_Longshirts）、ショートシャツ（up_Shortshirts）、スーツ（up_Suit）、コート（up_Coat）、パンツ（low_Pants）、スカート（low_Skirts）、ショートパンツ（low_Shorts）である。トップの色及びボトムの色に関しては、大体、次のように１０種類に分けることができ、即ち、黒色（black）、青色（blue）、緑色（green）、赤色（red）、灰色（gray）、白色（white）、黄色（yellow）、紫色（purple）、ピンク色（pink）及び未知色（unknown）である。なお、このような属性情報の分類及び各種類の属性情報に含まれる指標は、例示に過ぎず、具体的な実施に当たっては、検出精度の要求に応じて、属性の種類又は各属性の指標を増減することもでき、本実施例では、これについて限定しない。
【００２８】
本実施例では、画像中の捜索待ち人員及び候補者を得た後に、上述の属性の種類に従って、該画像の中から該人物の属性情報を抽出することができる。例えば、該画像中の該人物を上半分と下半分に分け、その後、CNN（Convolutional  Neural  Network）モデルを用いて分類を行うことで、該人物の上述のような属性情報を得ることができる。
【００２９】
図4は、ある不審者（Query）を示す図である。図4に示すように、該画像中の枠内の人物を不審者とするときに、該画像の中から抽出した該人物の属性情報は、up_Longshirts、low_Pants、up_white及びlow_blackであっても良い。
【００３０】
本実施例ではさ、該画像の中から該人物の属性情報を取得する方法について限定せず、例えば、前述のCNNモデルを用いて取得しても良く、他の方法により取得しても良い。
【００３１】
本実施例のステップ103では、捜索待ち人員の属性情報に基づいて、各候補者の該属性情報の確率を抽出し、その後、該属性情報の確率と、該属性情報に対応する重み（weight）との乗積を該候補者のマッチングスコアとすることができる。
【００３２】
本実施例では、各候補者が各属性の各指標について１つの確率を有し、これにより、捜索待ち人員の属性情報に基づいて、各候補者の確率のうちから該属性情報の指標に対応する確率を抽出し、該確率と、該指標に対応する重みとの乗積を該候補者のマッチングスコアとすることができる。
【００３３】
再び図4を例とし、該捜索待ち人員の属性情報は、up_Longshirts、low_Pants、up_white及びlow_blackである。該属性情報に基づいて、各属性について、例えば、up_Longshirtsについて、候補者の“トップの類型がロングシャツである”確率を抽出し、該確率と、“トップの類型がロングシャツである”に対応する重みとの乗積を該属性のマッチングスコアとし、また、他の３つの属性についても同様の処理を行い、これにより、該候補者のマッチングスコアを得ることができる。
【００３４】
例えば、該マッチングスコアは、以下の式に基づいて計算することにより得ることができる。
【数１】
2020071876.tif 000003
【００３５】
ここで、piは、該候補者の第i個目の属性の確率であり、wiは、第i個目の属性の重みであり、iは、属性情報のうちの各属性の順番号であり、nは、属性の総数であり、この例では、nは4であり、即ち、４つの属性がある。
【００３６】
なお、上述の式は、例示に過ぎず、他の方法により各候補者のマッチングスコアを得ても良い。候補者のマッチングスコアが高いほど、該候補者が捜索待ち人員になる可能性が大きい。よって、本実施例では、マッチングスコアの大から小への順序に従って所定数の候補者を選択してから検索を行う。ここでは、選択される候補者の数について限定せず、ニーズに応じて決定しても良い。
【００３７】
再び図4を例とし、図4から検出された人物を捜索待ち人員とし、その属性情報に基づいてすべての候補者に対して選択を行うことで、３つのマッチングスコアが最も高い候補者が得られ、図5に示すように、それぞれ、C1、C2及びC3と記され、それらのマッチングスコアは、それぞれ、0.814、0.5及び0.327である。
【００３８】
本実施例のステップ104では、捜索待ち人員と、選択された幾つかの可能性が大きい候補者との類似度を計算することで、この幾つかの候補者のうちから捜索待ち人員を見つけることができる。
【００３９】
１つの実施方式では、該捜索待ち人員及び選択されたすべての候補者の高次元特徴を取得し、捜索待ち人員と、選択された各候補者との高次元特徴に基づいて、捜索待ち人員と、選択された各候補者との高次元特徴の類似度を計算することができる。
【００４０】
本実施方式では、上述の高次元特徴は、CaffeNetモデルの全結合の特徴であっても良く、捜索待ち人員と、選択された各候補者との間のコサイン類似度を計算することにより、複数の類似度を並び替え、そして、類似度が最も高い結果を最後の結果、即ち、該捜索待ち人員として出力することができる。
【００４１】
例えば、該類似度は、以下の式に基づいて計算することにより取得することができる。
【数２】
2020071876.tif 000004
【００４２】
ここで、iは、選択された候補者の順番号であり、Qは、捜索待ち人員の高次元特徴であり、Ciは、選択された候補者の高次元特徴であり、mは、選択された候補者の総数であり、jは、類似度が最も高い候補者の索引（index）である。
【００４３】
なお、上述の式は、例示に過ぎず、他の方法により捜索待ち人員と候補者との類似度を計算しても良い。類似度が大きいほど、該候補者が該捜索待ち人員になる可能性が大きい。よって、本実施例では、類似度が最大である候補者を結果として出力する。
【００４４】
再び図4に示す捜索待ち人員（Query）及び図5に示す候補者C1、C2及びC3を例とし、この例では、３人の候補者が存在し、即ち、mは3であり、本実施例では、捜索待ち人員及びこの３人の候補者の高次元特徴を抽出し、捜索待ち人員と各候補者との類似度を計算し、類似度が最も高い候補者を結果として出力し、図6に示すように、この例では、j=C1である。
【００４５】
本実施例によれば、人物検出及び２ステップの検索を行うことで、監視カメラ画像の中から捜索待ち人員を見つけることができる。
【実施例２】
【００４６】
本実施例は、人員捜索装置を提供する。該装置が問題を解決する原理が実施例1の方法と類似しているため、その具体的な実施は、実施例1の方法を参照することができ、また、内容が同じである重複説明は、省略される。
【００４７】
図7は、本実施例における人員捜索装置700を示す図である。図7に示すように、該人員捜索装置700は、第一検出ユニット701、第二検出ユニット702、選択ユニット703及び確定ユニット704を含み、該第一検出ユニット701は、参照画像に対して人物検出を行い、捜索待ち人員を確定し、前記捜索待ち人員の属性情報を取得し、該第二検出ユニット702は、少なくとも１つの監視カメラ画像に対して人物検出を行い、すべての候補者を確定し、すべての候補者の属性情報を取得し、該選択ユニット703は、前記捜索待ち人員の属性情報及び各候補者の属性情報に基づいて、各候補者のマッチングスコアを計算し、前記マッチングスコアの大から小への順序に従って所定数の候補者を選択し、該確定ユニット704は、前記捜索待ち人員と、選択された各候補者との類似度を計算し、選択された前記候補者のうち、前記捜索待ち人員との類似度が最も高い候補者を前記捜索待ち人員とする。
【００４８】
本実施例では、参照画像は、予め撮った写真による画像又は監視カメラ画像であっても良い。本実施例では、これについて限定しない。
【００４９】
本実施例では、上述の監視カメラ画像は、魚眼カメラ画像であっても良く、この場合、図7に示すように、該人員捜索装置700は、さらに、以下のものを含んでも良い。
【００５０】
処理ユニット705：前記監視カメラ画像に対して魚眼除去処理を行い、魚眼除去後の監視カメラ画像を取得し、これにより、前記第二検出ユニットは、前記魚眼除去後の監視カメラ画像に対して前記人物検出を行うことができる。
【００５１】
本実施例では、上述の属性情報は、上述のように、トップの類型、ボトムの類型、トップの色、及びボトムの色を含んでも良い。
【００５２】
本実施例の１つの実施方式では、選択ユニット703は、前記捜索待ち人員の属性情報に基づいて、各候補者の前記属性情報の確率を抽出し、前記属性情報の確率と、該属性情報に対応する重みとの乗積を前記候補者のマッチングスコアとすることができる。
【００５３】
例えば、選択ユニット703は、以下の式で各候補者のマッチングスコアを計算することができる。
【数３】
2020071876.tif 000005
【００５４】
ここで、piは、前記候補者の第i個目の属性の確率であり、wiは、前記第i個目の属性の重みであり、iは、属性情報のうちの各属性の順番号であり、nは、属性の総数である。
【００５５】
本実施例の１つの実施方式では、確定ユニット704は、前記捜索待ち人員及び選択されたすべての候補者の高次元特徴を取得し、捜索待ち人員と、選択された各候補者との高次元特徴に基づいて、捜索待ち人員と、選択された各候補者との高次元特徴の類似度を計算することができる。
【００５６】
例えば、確定ユニット704は、以下の式に基づいて上述の類似度を計算することができる。
【数４】
2020071876.tif 000006
【００５７】
ここで、iは、選択された候補者の順番号であり、Qは、捜索待ち人員の高次元特徴であり、Ciは、選択された候補者の高次元特徴であり、mは、選択された候補者の総数である。
【００５８】
本実施例では、人物検出及び２ステップの検索を行うにより、監視カメラ画像の中から捜索待ち人員を見つけることができる。
【実施例３】
【００５９】
本実施例は、画像処理装置を提供する。該画像処理装置は、実施例2に記載のような人員捜索装置を含む。
【００６０】
図8は、本実施例における画像処理装置を示す図である。図8に示すように、画像処理装置800は、中央処理装置（CPU）801及び記憶器802を含んでも良く、記憶器802は、中央処理装置801に接続される。そのうち、該記憶器802は、各種のデータを記憶することができ、また、情報処理用のプログラムを記憶することもでき、中央処理装置801の制御下で該プログラムを実行することもできる。
【００６１】
１つの実施方式では、人員捜索装置700の機能は、中央処理装置801に集積することができる。そのうち、中央処理装置801は、実施例1に記載のような人員捜索方法を実現するように構成されても良い。
【００６２】
もう１つの実施方式では、人員捜索装置700は、中央処理装置801と別々で配置されても良く、例えば、人員捜索装置700は、中央処理装置801に接続されるチップとして構成され、中央処理装置801の制御により人員捜索装置700の機能を実現することができる。
【００６３】
本実施例では、中央処理装置801は、次のような制御を行うように構成されても良く、即ち、参照画像に対して人物検出を行い、捜索待ち人員を確定し、前記捜索待ち人員の属性情報を取得し；少なくとも１つの監視カメラ画像に対して人物検出を行い、すべての候補者を確定し、すべての候補者の属性情報を取得し；前記捜索待ち人員の属性情報及び各候補者の属性情報に基づいて、各候補者のマッチングスコアを計算し、前記マッチングスコアの大から小への順序に従って所定数の候補者を選択し；及び、前記捜索待ち人員と、選択された各候補者との類似度を計算し、選択された前記候補者のうち、前記捜索待ち人員との類似度が最も高い候補者を前記捜索待ち人員とする。
【００６４】
また、図8に示すように、画像処理装置800は、さらに、入出力（I/O）装置803、表示器804などを有しても良く、そのうち、これらの部品の機能が従来技術と同様であるため、ここでは、その詳しい説明を省略する。なお、画像処理装置800は、図8中のすべての部品を含む必要がない。また、画像処理装置800は、さらに、図8に無い部品を含んでも良く、これについては、従来技術を参照することができる。
【００６５】
また、本発明の実施例は、コンピュータ可読プログラムを提供し、そのうち、人員捜索装置又は画像処理装置中で前記プログラムを実行するときに、前記プログラムは、前記人員捜索装置又は画像処理装置に、実施例1に記載のような方法を実行させることができる。
【００６６】
また、本発明の実施例は、コンピュータ可読プログラムを記憶した記憶媒体を提供し、そのうち、前記コンピュータ可読プログラムは、人員捜索装置又は画像処理装置に、実施例1に記載のような方法を実行させることができる。
【００６７】
また、本発明の実施例による装置、方法などは、ソフトウェアにより実現されても良く、ハードェアにより実現されてもよく、ハードェア及びソフトウェアの組み合わせにより実現されても良い。本発明は、このようなコンピュータ可読プログラムにも関し、即ち、前記プログラムは、ロジック部品により実行されるときに、前記ロジック部品に、上述の装置又は構成要素を実現させることができ、又は、前記ロジック部品に、上述の方法又はそのステップを実現させることができる。さらに、本発明は、上述のプログラムを記憶した記憶媒体、例えば、ハードディスク、磁気ディスク、光ディスク、ＤＶＤ、フレッシュメモリなどにも関する。
【００６８】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2020071876.tif 000009
【図２】
2020071876.tif 000010
【図３】
2020071876.tif 000011
【図４】
2020071876.tif 000012
【図５】
2020071876.tif 000013
【図６】
2020071876.tif 000014
【図７】
2020071876.tif 000015
【図８】
2020071876.tif 000016